(57)【要約】【課題】非常に温度が低く、かつ、比較的湿気の多い環境下で使用されても、湿気に起因する故障の発生を防止することが可能な照明装置を提供する。【解決手段】氷点下の環境下で使用される照明装置１は、発光素子２と、発光素子２が実装される基板７と、基板７が収容されるとともに少なくともその一端に開口部８ａが形成される筒状のカバー部材８と、開口部８ａを塞ぐ蓋部材９、１０とを備えている。蓋部材９、１０は、照明装置１の使用環境下において弾性変形可能な耐寒性を有する弾性部材で形成されるとともに、カバー部材８の内周側に圧入されており、カバー部材８の内部は、蓋部材９、１０によって密閉されている。【選択図】図３
2015115154.tif 000002
【特許請求の範囲】
【請求項１】
氷点下の環境下で使用される照明装置であって、
発光素子と、前記発光素子が実装される基板と、前記基板が収容されるとともに少なくともその一端に開口部が形成される筒状のカバー部材と、前記開口部を塞ぐ蓋部材とを備え、
前記カバー部材の少なくとも一部は、前記発光素子の光を透過する光透過性部材で形成され、
前記蓋部材は、前記照明装置の使用環境下において弾性変形可能な耐寒性を有する弾性部材で形成されるとともに、前記カバー部材の内周側に圧入され、
前記カバー部材の内部は、前記蓋部材によって密閉されていることを特徴とする照明装置。
【請求項２】
前記蓋部材は、シリコーンゴム、エチレンゴム、天然ゴム、ブチルゴム、クロロプレーンゴムまたはニトリルゴムで形成されていることを特徴とする請求項１記載の照明装置。
【請求項３】
前記カバー部材は、円筒状に形成され、
前記蓋部材は、略円錐台状に形成され、
略円錐台状に形成される前記蓋部材の小径側が、円筒状に形成される前記カバー部材の軸方向における内側に配置されるように、前記カバー部材の内周側に圧入されていることを特徴とする請求項１または２記載の照明装置。
【請求項４】
前記基板から引き出されるケーブルを備え、
前記蓋部材には、前記基板の端部を保持する基板保持溝と、前記ケーブルが挿通される挿通孔が形成され、
前記ケーブルは、前記挿通孔に圧入されていることを特徴とする請求項１から３のいずれかに記載の照明装置。
【請求項５】
前記カバー部材の両端に前記開口部が形成され、
前記カバー部材の一方の前記開口部は、前記蓋部材としての第１蓋部材によって塞がれ、
前記カバー部材の他方の前記開口部は、前記蓋部材としての第２蓋部材によって塞がれ、
筒状に形成される前記カバー部材の軸方向と前記基板の厚み方向とに直交する方向を前記基板の幅方向とすると、
前記第１蓋部材には、前記基板の幅方向における前記基板の略全体を保持する第１基板保持溝が形成され、
前記第２蓋部材には、前記基板の幅方向における前記基板の両端側部分のみを保持する第２基板保持溝が形成されていることを特徴とする請求項１から４のいずれかに記載の照明装置。
【請求項６】
前記発光素子を駆動するとともに制御する発光制御回路が実装される第２の基板を備え、
前記第２の基板は、前記蓋部材によって密閉された前記カバー部材の内部に配置されていることを特徴とする請求項１から５のいずれかに記載の照明装置。
【請求項７】
前記発光制御回路は、ソウル半導体社（韓国）製のＡｃｒｉｃｈ２（登録商標）  Ｄｒｉｖｅｒ  ＩＣであることを特徴とする請求項６記載の照明装置。
【発明の詳細な説明】
【技術分野】
【０００１】
本発明は、氷点下の環境下で使用される照明装置に関する。
【背景技術】
【０００２】
従来、商品陳列用の冷蔵庫や冷凍庫として使用されるショーケースに取り付けられる照明装置が知られている（たとえば、特許文献１参照）。特許文献１に記載の照明装置は、複数の発光素子と、複数の発光素子が実装される実装基板と、発光素子の光出射面側を覆うように配置される透光性カバーと、実装基板が固定される放熱部材と、発光素子の配列方向における透光性カバーおよび放熱部材の両端部に取り付けられる口金とを備えている。また、照明装置の中には、非常に温度が低く、かつ、比較的湿気の多い環境下で使用されるものがある。たとえば、照明装置の中には、冷凍品等が保管される倉庫（冷凍庫）で使用されるものがある。
【先行技術文献】
【特許文献】
【０００３】
【特許文献１】特開２０１０−６２０２３号公報
【発明の概要】
【発明が解決しようとする課題】
【０００４】
冷凍品等が保管される倉庫等の、非常に温度が低く、かつ、比較的湿気の多い環境下では、結露が生じやすい。そのため、冷凍品等が保管される倉庫等で特許文献１に記載の照明装置が使用されると、湿気が透光性カバーの内部に浸入して、透光性カバーの内部に結露が生じるおそれがある。また、透光性カバーの内部に結露が生じると、実装基板上で短絡が起こり、照明装置が故障するおそれがある。
【０００５】
そこで、本発明の課題は、非常に温度が低く、かつ、比較的湿気の多い環境下で使用されても、湿気に起因する故障の発生を防止することが可能な照明装置を提供することにある。
【課題を解決するための手段】
【０００６】
上記の課題を解決するため、本発明の照明装置は、氷点下の環境下で使用される照明装置であって、発光素子と、発光素子が実装される基板と、基板が収容されるとともに少なくともその一端に開口部が形成される筒状のカバー部材と、開口部を塞ぐ蓋部材とを備え、カバー部材の少なくとも一部は、発光素子の光を透過する光透過性部材で形成され、蓋部材は、照明装置の使用環境下において弾性変形可能な耐寒性を有する弾性部材で形成されるとともに、カバー部材の内周側に圧入され、カバー部材の内部は、蓋部材によって密閉されていることを特徴とする。
【０００７】
本発明において、蓋部材は、たとえば、シリコーンゴム、エチレンゴム、天然ゴム、ブチルゴム、クロロプレーンゴムまたはニトリルゴムで形成されている。
【０００８】
本発明の照明装置では、カバー部材の内部は、カバー部材の内周側に圧入される蓋部材によって密閉されている。そのため、本発明では、常温環境下で製造された照明装置が、非常に温度の低い使用環境下に配置されると、カバー部材の内部圧力が大気圧よりも低くなる。また、本発明では、シリコーンゴム等の、照明装置の使用環境下で弾性変形可能な耐寒性を有する弾性部材によって蓋部材が形成されているため、非常に温度の低い使用環境下に照明装置が配置されて、カバー部材の内部圧力が大気圧よりも低くなると、蓋部材が収縮しながらカバー部材の内側に引き込まれる。したがって、本発明では、非常に温度が低く、かつ、比較的湿気の多い環境下で照明装置が使用されても、カバー部材の内部の密閉性が高くなり、発光素子および基板が配置されるカバー部材の内部への湿気の浸入を防止することが可能になる。そのため、本発明では、非常に温度が低く、かつ、比較的湿気の多い環境下で照明装置が使用されても、カバー部材の内部での結露の発生を防止することが可能になり、その結果、湿気に起因する照明装置の故障の発生を防止することが可能になる。
【０００９】
本発明において、カバー部材は、円筒状に形成され、蓋部材は、略円錐台状に形成され、略円錐台状に形成される蓋部材の小径側が、円筒状に形成されるカバー部材の軸方向における内側に配置されるように、カバー部材の内周側に圧入されていることが好ましい。このように構成すると、非常に温度の低い使用環境下に照明装置が配置されて、カバー部材の内部圧力が大気圧よりも低くなったときに、蓋部材がカバー部材の中へ引き込まれやすくなる。したがって、非常に温度の低い使用環境下に照明装置が配置されたときに、カバー部材の内部の密閉性を効果的に高めることが可能になる。
【００１０】
本発明において、照明装置は、基板から引き出されるケーブルを備え、蓋部材には、基板の端部を保持する基板保持溝と、ケーブルが挿通される挿通孔が形成され、ケーブルは、挿通孔に圧入されていることが好ましい。このように構成すると、基板を保持するための部材を別途設けなくても、蓋部材を用いて、カバー部材の内部に配置される基板を保持することができる。また、このように構成すると、基板から引き出されるケーブルの一部を保持するための部材を別途設けなくても、蓋部材を用いて、ケーブルの一部を保持することができる。したがって、照明装置の構成を簡素化することが可能になる。また、このように構成すると、蓋部材の挿通孔にケーブルが圧入されているため、カバー部材の外部にケーブルが引き出されていても、カバー部材の内部の密閉性を確保することが可能になる。
【００１１】
本発明において、カバー部材の両端に開口部が形成され、カバー部材の一方の開口部は、蓋部材としての第１蓋部材によって塞がれ、カバー部材の他方の開口部は、蓋部材としての第２蓋部材によって塞がれ、筒状に形成されるカバー部材の軸方向と基板の厚み方向とに直交する方向を基板の幅方向とすると、第１蓋部材には、基板の幅方向における基板の略全体を保持する第１基板保持溝が形成され、第２蓋部材には、基板の幅方向における基板の両端側部分のみを保持する第２基板保持溝が形成されていることが好ましい。このように構成すると、基板を保持するための部材を別途設けなくても、第１蓋部材および第２蓋部材を用いて、カバー部材の内部に配置される基板を保持することができるため、照明装置の構成を簡素化することが可能になる。また、このように構成すると、第２基板保持溝が基板の幅方向における基板の両端側部分のみを保持しているため、カバー部材の内部圧力が大気圧よりも低くなって、第１蓋部材および第２蓋部材がカバー部材の中に引き込まれても、カバー部材の軸方向において第１蓋部材と第２蓋部材との間に挟まれる基板に過剰な負荷が作用するのを防止することが可能になる。
【００１２】
本発明において、照明装置は、発光素子を駆動するとともに制御する発光制御回路が実装される第２の基板を備え、第２の基板は、蓋部材によって密閉されたカバー部材の内部に配置されていることが好ましい。このように構成すると、発光素子が収容されるとともに蓋部材によって密閉されたカバー部材の内部に第２の基板が配置されているため、発光素子からの発熱によってカバー部材の外部よりも温度が高くなるカバー部材の内部に第２の基板を配置することができる。したがって、非常に温度が低い環境下で照明装置が使用されても、第２の基板に実装される発光制御回路の機能の低下を抑制することが可能になる。
【００１３】
本発明において、発光制御回路は、ソウル半導体社（韓国）製のＡｃｒｉｃｈ２（登録商標）  Ｄｒｉｖｅｒ  ＩＣであることが好ましい。このように構成すると、電解コンデンサを使用する必要がなくなるため、非常に温度が低い環境下で照明装置が使用されても、照明装置の起動時の発光素子のちらつきを防止することが可能になる。
【発明の効果】
【００１４】
以上のように、本発明では、非常に温度が低く、かつ、比較的湿気の多い環境下で照明装置が使用されても、湿気に起因する照明装置の故障の発生を防止することが可能になる。
【図面の簡単な説明】
【００１５】
【図１】本発明の実施の形態にかかる照明装置を底面側から示す斜視図である。
【図２】図１に示す照明装置の底面図である。
【図３】図２のＥ−Ｅ断面の断面図である。
【図４】図１に示す照明管の分解斜視図である。
【図５】図３に示す発光素子の駆動および制御に関連する構成を示すブロック図である。
【図６】図３に示す第１蓋部材の斜視図である。
【図７】図３に示す第２蓋部材の斜視図である。
【図８】図２に示す照明管、反射板および保持部材を分解した状態の斜視図である。
【図９】図２に示す照明管、反射板および保持部材を分解した状態の斜視図である。
【図１０】図３のＦ部の拡大図である。
【図１１】図３のＧ部の拡大図である。
【発明を実施するための形態】
【００１６】
以下、図面を参照しながら、本発明の実施の形態を説明する。
【００１７】
（照明装置の全体構成）
図１は、本発明の実施の形態にかかる照明装置１を底面側から示す斜視図である。図２は、図１に示す照明装置１の底面図である。図３は、図２のＥ−Ｅ断面の断面図である。
【００１８】
本形態の照明装置１は、氷点下の環境下で使用されるものである。具体的には、照明装置１は、冷凍品が保管される倉庫（冷凍庫）等の、非常に温度が低く、かつ、比較的湿気の多い環境下で使用されるものであり、たとえば、−６０℃程度の低温環境下で使用される。また、照明装置１は、たとえば、倉庫等の天井側に設置されており、下側に向かって光を照射する。この照明装置１は、内部に複数の発光素子２を有する照明管３と、照明管３の両端側を保持する筺体４とを備えている。本形態の照明装置１は、４本の照明管３を備えている。なお、照明装置１は、上述のように、非常に温度が低く、かつ、比較的湿気の多い環境下で使用されるが、照明装置１の組立は、常温環境下で行われる。
【００１９】
本形態では、図１等に示すＺ方向と鉛直方向とが一致するように、照明装置１が設置されている。具体的には、Ｚ１方向側が上側に配置され、Ｚ２方向側が下側に配置されるように、照明装置１が設置されている。したがって、以下の説明では、Ｚ方向を上下方向とするとともに、Ｚ１方向側を「上」側、Ｚ２方向側を「下」側とする。また、Ｚ方向に直交するＸ方向を左右方向、Ｚ方向とＸ方向とに直交するＹ方向を前後方向とするとともに、Ｙ１方向側を「前」側、Ｙ２方向側を「後（後ろ）」側とする。上述のように、照明装置１は、下側に向かって光を照射する。すなわち、下方向（Ｚ２方向）は、照明装置１の光の照射方向である。
【００２０】
（照明管の構成）
図４は、図１に示す照明管３の分解斜視図である。図５は、図３に示す発光素子２の駆動および制御に関連する構成を示すブロック図である。図６は、図３に示す蓋部材９の斜視図である。図７は、図３に示す蓋部材１０の斜視図である。
【００２１】
照明管３は、細長い略円柱状に形成されている。この照明管３は、その軸方向と前後方向とが略一致するように配置されている。また、４本の照明管３は、左右方向に所定のピッチで配置されている。照明管３は、複数の発光素子２に加えて、複数の発光素子２が実装される基板７と、基板７が収容される筒状のカバー部材８と、第１蓋部材としての蓋部材９と、第２蓋部材としての蓋部材１０と、発光素子２を駆動するとともに制御する発光制御回路１１（図５参照）が実装される第２の基板としての基板１２とを備えている。カバー部材８は、円筒状に形成されており、その両端に開口部８ａが形成されている。カバー部材８の一方の開口部８ａは蓋部材９によって塞がれ、カバー部材８の他方の開口部８ａは蓋部材１０によって塞がれている。
【００２２】
基板７は、前後方向に細長い長方形の平板状に形成されている。この基板７は、その厚み方向と上下方向とが略一致するようにカバー部材８の内部に配置されている。発光素子２は、ＬＥＤ（Ｌｉｇｈｔ  Ｅｍｉｔｔｉｎｇ  Ｄｉｏｄｅ）である。複数の発光素子２は、基板７の下面に実装されている。また、複数の発光素子２は、前後方向に一定のピッチで配列されている。本形態では、上下方向は、基板７の厚み方向であり、左右方向は、基板７の幅方向（短手幅方向）である。
【００２３】
カバー部材８は、細長い円筒状に形成されている。このカバー部材８は、その軸方向と前後方向とが一致するように配置されており、照明管３の外周面を構成している。また、カバー部材８は、発光素子２の光を透過する光透過性部材（光透過性材料）で形成されている。具体的には、カバー部材８は、ポリカーボネートで形成されている。本形態では、前後方向は、円筒状に形成されるカバー部材８の軸方向である。
【００２４】
蓋部材９、１０は、照明装置１の使用環境下において（すなわち、非常に温度の低い環境下において）弾性変形可能な耐寒性を有する弾性部材（弾性材料）で形成されている。具体的には、蓋部材９、１０は、照明装置１の使用環境下において弾性変形可能な耐寒性を有するゴムで形成されている。たとえば、蓋部材９、１０は、シリコーンゴム、エチレンゴム、天然ゴム、ブチルゴム、クロロプレーンゴムまたはニトリルゴムで形成されている。本形態の蓋部材９、１０は、シリコーンゴムで形成されている。
【００２５】
また、蓋部材９、１０は、略円錐台状に形成されている。蓋部材９は、カバー部材８の前端に形成される開口部８ａを塞ぎ、蓋部材１０は、カバー部材８の後端に形成される開口部８ａを塞いでいる。図３に示すように、略円錐台状に形成される蓋部材９、１０は、その大径側が前後方向の外側に配置され、その小径側が前後方向の内側に配置されるように、カバー部材８の内周側に圧入されている。すなわち、蓋部材９の小径側が、後ろ側に配置されるようにカバー部材８の前端側部分の内周側に圧入され、蓋部材１０の小径側が、前側に配置されるようにカバー部材８の後端側部分の内周側に圧入されている。カバー部材８の内部は、カバー部材８の内周側に圧入される蓋部材９、１０によって密閉されている。
【００２６】
蓋部材９には、図６に示すように、基板７の前端部を保持する基板保持溝９ａと、基板７から引き出される２本のケーブル１４が挿通される２個の挿通孔９ｂとが形成されている。基板保持溝９ａは、蓋部材９の小径側の端面に形成されている。すなわち、基板保持溝９ａは、蓋部材９の後端面に形成されている。また、基板保持溝９ａは、前側に向かって窪むスリット状に形成されている。基板保持溝９ａは、左右方向における蓋部材９の略全域に形成されており、左右方向における基板７の略全体を保持している。本形態の基板保持溝９ａは、第１基板保持溝である。
【００２７】
挿通孔９ｂは、前後方向で蓋部材９を貫通するように形成されている。また、挿通孔９ｂは、基板保持溝９ａの上側に形成されている。ケーブル１４の外周面は、フッ素樹脂の被膜によって構成されている。ケーブル１４は、挿通孔９ｂに圧入されており、ケーブル１４の外周面は、挿通孔９ｂの内周面に所定の圧力で密着している。
【００２８】
蓋部材１０には、図７に示すように、基板７の後端部を保持する基板保持溝１０ａと、基板７から引き出される２本のケーブル１５が挿通される４個の挿通孔１０ｂとが形成されている。基板保持溝１０ａは、蓋部材１０の小径側の端面に形成されている。すなわち、基板保持溝１０ａは、蓋部材１０の前端面に形成されている。また、基板保持溝１０ａは、後ろ側に向かって窪むスリット状に形成されている。基板保持溝１０ａは、左右方向における蓋部材１０の両端側の２箇所に形成されており、左右方向における基板７の両端側部分のみを保持している。２個の基板保持溝１０ａの間には、基板保持溝１０ａよりもさらに後ろ側に窪む長円形状の凹部１０ｃが形成されている。本形態の基板保持溝１０ａは、第２基板保持溝である。
【００２９】
挿通孔１０ｂは、前後方向で蓋部材１０を貫通するように形成されている。また、挿通孔１０ｂは、凹部１０ｃが形成された部分に形成されている。ケーブル１５の外周面は、フッ素樹脂の被膜によって構成されている。ケーブル１５は、挿通孔１０ｂに圧入されており、ケーブル１５の外周面は、挿通孔１０ｂの内周面に所定の圧力で密着している。
【００３０】
基板１２は、基板７よりも小さな長方形の平板状に形成されている。この基板１２は、カバー部材８の内部に配置されている。また、基板１２は、基板７の上側に配置されている。基板１２は、カバー部材８の内部に配置されるカバー部材１６によって覆われている。
【００３１】
基板７と基板１２とは、２本のケーブル１５によって電気的に接続されている。２本のケーブル１５の一端側は、基板７の後端側に接続されている。一端側が基板７の後端側に接続された２本のケーブル１５は、蓋部材１０の４個の挿通孔１０ｂのうちの２個の挿通孔１０ｂを後ろ側に向かって通過した後に折り返されて、残りの２個の挿通孔１０ｂを前側に向かって通過するように引き回されている。また、２本のケーブル１５の他端側は、基板１２の後端側に接続されている。
【００３２】
基板１２の前端側には、２本のケーブル１４の一端側が接続されている。すなわち、２本のケーブル１４は、ケーブル１５および基板１２を介して基板７から引き出されている。一端側が基板１２の前端側に接続された２本のケーブル１４は、蓋部材９の挿通孔９ｂを前側に向かって通過するように引き回されており、２本のケーブル１４の他端側は、照明管３の外部へ引き出されている。４個の照明管３のそれぞれから引き出された合計８本のケーブル１４の他端は、プラグ１７に接続されており、プラグ１７は、コンセント１８に差し込まれている（図５参照）。本形態では、２００Ｖの交流電力が照明装置１に供給されている。
【００３３】
基板１２には、発光制御回路１１に加えて、整流回路１９が実装されている（図５参照）。整流回路１９は、照明装置１に供給される交流電力を直流電力に変換する。発光制御回路１１は、整流回路１９と発光素子２との間に配置されており、複数の発光素子２に供給される電流値の調整と電流の振分とを行う。本形態の発光制御回路１１は、ソウル半導体社製の「Ａｃｒｉｃｈ２（登録商標）  Ｄｒｉｖｅｒ  ＩＣ」であり、低温環境下において、照明装置１の起動時の発光素子２のちらつきを防止することが可能となっている。
【００３４】
（筺体の構成）
図８、図９は、図２に示す照明管３、反射板２７および保持部材２８を分解した状態の斜視図である。図１０は、図３のＦ部の拡大図である。図１１は、図３のＧ部の拡大図である。
【００３５】
筺体４は、本体２５と、２個の反射板２６と、２個の反射板２７とを備えている。本体２５は、鋼板等の金属板によって形成されている。また、本体部２５は、下面が開口する直方体の箱状に形成されている。反射板２６、２７は、光反射性を有する光反射部材（光反射性材料）で形成されている。たとえば、反射板２６、２７は、鋼板等の金属板で形成されている。また、反射板２６、２７は、金属板を所定形状に折り曲げることで形成されている。
【００３６】
２個の反射板２６のそれぞれは、本体部２５の左右両側面のそれぞれの内側に固定されている。また、反射板２６は、左右方向における４個の照明管３の外側に配置されている。反射板２６には、下方向に向かうにしたがって左右方向の外側へ広がるように傾斜する傾斜面が形成されている。この傾斜面は、発光素子２が発する光を反射する反射面２６ａとなっている。
【００３７】
２個の反射板２７のそれぞれは、本体部２５の前後両側面のそれぞれの内側に固定されている。反射板２７は、下方向に向かうにしたがって前後方向の外側へ広がるように傾斜する平板状の斜面部２７ｃと、斜面部２７ｃの上端に繋がるとともに前後方向に直交する平板状の直交面部２７ｄとを備えている。斜面部２７ｃの下側の面は、発光素子２が発する光を反射する反射面２７ｂとなっている。すなわち、斜面部２７ｃには、発光素子２の光を反射する反射面２７ｂが形成されている。
【００３８】
また、反射板２７には、照明管３の端部が挿入される４個の挿入孔２７ａが形成されている（図８、図９参照）。すなわち、前側に配置される反射板２７には、照明管３の前端部が挿入される４個の挿入孔２７ａが形成され、後ろ側に配置される反射板２７には、照明管３の後端部が挿入される４個の挿入孔２７ａが形成されている。４個の挿入孔２７ａは、左右方向において一定ピッチで形成されている。また、挿入孔２７ａは、斜面部２７ｃの上端側と直交面部２７ｄの下端側とに跨るように形成されている。ただし、挿入孔２７ａの大半部分は、斜面部２７ｃに形成されている。
【００３９】
挿入孔２７ａの縁には、耐寒性を有する弾性部材（弾性材料）で形成される環状の保持部材２８が取り付けられている。保持部材２８は、照明装置１の使用環境下において弾性変形可能な耐寒性を有する弾性部材で形成されている。たとえば、保持部材２８は、シリコーンゴム、エチレンゴム、天然ゴム、ブチルゴム、クロロプレーンゴムまたはニトリルゴム等のゴムで形成されている。また、保持部材２８は、ゴムチューブを環状に繋ぐことで形成されている。保持部材２８の外周側には、その周方向の全域に亘って、切れ目２８ａが形成されている（図１０、図１１参照）。切れ目２８ａは、保持部材２８を構成するゴムチューブの外周面からゴムチューブの内周側に通じるように形成されている。保持部材２８は、図１０、図１１に示すように、挿入孔２７ａの縁が切れ目２８ａからゴムチューブの内周側（保持部材２８の内側）に挿入されることで、挿入孔２７ａの縁に取り付けられている。
【００４０】
保持部材２８は、照明管３の端部に密着している。具体的には、環状に形成される保持部材２８の内周側は、カバー部材８の端部の外周面に密着している。本形態では、保持部材２８が照明管３に密着することで、照明管３が筺体４に対して動かないように筺体４に保持されている。照明管３を筺体４に取り付けるときには、まず、前側または後ろ側の一方に配置される保持部材２８の内周側に照明管３の前端部または後端部の一方を挿入し、その後、前側または後ろ側の他方に配置される保持部材２８の内周側に照明管３の前端部または後端部の他方を挿入する。
【００４１】
（本形態の主な効果）
以上説明したように、本形態では、カバー部材８の内部は、カバー部材８の内周側に圧入される蓋部材９、１０によって密閉されている。そのため、本形態では、常温環境下で製造された照明装置１が、非常に温度の低い使用環境下に配置されると、カバー部材８の内部圧力が大気圧よりも低くなる。また、本形態では、蓋部材９、１０は、照明装置１の使用環境下で弾性変形可能な耐寒性を有する弾性部材によって形成されているため、非常に温度の低い使用環境下に照明装置１が配置されて、カバー部材８の内部圧力が大気圧よりも低くなると、蓋部材９、１０が収縮しながらカバー部材８の内側に引き込まれる。したがって、本形態では、非常に温度の低い使用環境下に照明装置１が配置されても、カバー部材８の内部の密閉性が高くなるとともに、蓋部材９の挿通孔９ｂとケーブル１４との密着力が高くなり、かつ、蓋部材１０の挿通孔１０ｂとケーブル１５との密着力が高くなる。そのため、本形態では、非常に温度が低く、かつ、比較的湿気の多い環境下で照明装置１が使用されても、発光素子２および基板７、１２が配置されるカバー部材８の内部への湿気の浸入を防止して、カバー部材８の内部での結露の発生を防止することが可能になり、その結果、湿気に起因する照明装置１の故障の発生を防止することが可能になる。
【００４２】
特に本形態では、略円錐台状に形成される蓋部材９の小径側がカバー部材８の前端側部分の内周側に圧入され、略円錐台状に形成される蓋部材１０の小径側がカバー部材８の後端側部分の内周側に圧入されているため、非常に温度の低い使用環境下に照明装置１が配置されて、カバー部材８の内部圧力が大気圧よりも低くなったときに、蓋部材９、１０が収縮しながらカバー部材８の中へ引き込まれやすくなる。したがって、本形態では、非常に温度の低い使用環境下に照明装置１が配置されたときに、カバー部材８の内部の密閉性を効果的に高めることが可能になる。また、挿通孔９ｂとケーブル１４との密着力および挿通孔１０ｂとケーブル１５との密着力を効果的に高めることが可能になる。
【００４３】
本形態では、蓋部材９、１０に、基板７の端部を保持する基板保持溝９ａ、１０ａが形成されている。そのため、本形態では、基板７を保持するための部材を別途設けなくても、蓋部材９、１０を用いて、カバー部材８の内部に配置される基板７を保持することができる。また、本形態では、ケーブル１４が挿通される挿通孔９ｂが蓋部材９に形成され、ケーブル１５が挿通される挿通孔１０ｂが蓋部材１０に形成されているため、ケーブル１４、１５の一部を保持するための部材を別途設けなくても、蓋部材９、１０を用いて、ケーブル１４、１５の一部を保持することができる。したがって、本形態では、照明装置１の構成を簡素化することが可能になる。また、本形態では、ケーブル１４が挿通孔９ｂに圧入され、ケーブル１５が挿通孔１０ｂに圧入されているため、照明管３の外部にケーブル１４、１５が引き出されていても、カバー部材８の内部の密閉性を確保することが可能になる。
【００４４】
本形態では、蓋部材９に形成される基板保持溝９ａは、左右方向における基板７の略全体を保持しているが、蓋部材１０に形成される基板保持溝１０ａは、左右方向における基板７の両端側部分のみを保持しており、２個の基板保持溝１０ａの間に凹部１０ｃが形成されている。そのため、本形態では、カバー部材８の内部圧力が大気圧よりも低くなって、蓋部材９、１０がカバー部材８の中に引き込まれても、前後方向において蓋部材９と蓋部材１０との間に挟まれる基板７に過剰な負荷が作用するのを防止することが可能になる。
【００４５】
本形態では、発光制御回路１１が実装される基板１２は、発光素子２が収容されるとともに蓋部材９、１０によって密閉されたカバー部材８の内部に配置されている。すなわち、本形態では、発光素子２からの発熱によってカバー部材８の外部よりも温度が高くなるカバー部材８の内部に、発光制御回路１１が実装される基板１２が配置されている。そのため、本形態では、非常に温度が低い環境下で照明装置１が使用されても、基板１２に実装される発光制御回路１１の機能の低下を抑制することが可能になる。
【００４６】
（他の実施の形態）
上述した形態は、本発明の好適な形態の一例ではあるが、これに限定されるものではなく本発明の要旨を変更しない範囲において種々変形実施が可能である。
【００４７】
上述した形態では、蓋部材９、１０は、略円錐台状に形成されているが、蓋部材９、１０は、円柱状に形成されても良い。また、上述した形態では、カバー部材８は、円筒状に形成されているが、カバー部材８は、六角筒や八角筒等の多角筒状に形成されても良い。この場合には、蓋部材９、１０は、カバー部材８の形状に応じた多角錐台状や多角柱状に形成される。また、カバー部材８は、半円筒状や楕円筒状に形成されても良い。この場合には、蓋部材９、１０は、カバー部材８の形状に応じた半円錐台状、楕円錐台状、半円柱状あるいは楕円柱状に形成される。また、上述した形態では、カバー部材８の両端に開口部８ａが形成されているが、カバー部材８の一端のみに開口部８ａが形成されても良い。この場合には、カバー部材８の開口部８ａは、たとえば、蓋部材９によって塞がれる。
【００４８】
上述した形態では、カバー部材８の全体が光透過性部材で形成されている。この他にもたとえば、照明装置１による下側への光の照射が可能となるように、カバー部材８の下側部分のみが光透過性部材で形成されても良い。また、上述した形態では、蓋部材９に基板保持溝９ａが形成されるとともに蓋部材１０に基板保持溝１０ａが形成されているが、蓋部材９または蓋部材１０の一方のみに、基板保持溝９ａ、１０ａが形成されても良い。
【００４９】
上述した形態では、複数の発光素子２が実装される基板７と、発光素子２を駆動するとともに制御する発光制御回路１１が実装される基板１２とが別部材で構成されているが、基板７に発光制御回路１１および／または整流回路１９が配置されても良い。この場合には、発光素子２からの発熱が基板７を通じて発光制御回路１１へ伝わる。したがって、非常に温度が低い環境下で照明装置１が使用されても、基板７に実装される発光制御回路１１の機能の低下を抑制することが可能になる。
【符号の説明】
【００５０】
１  照明装置
２  発光素子
７  基板
８  カバー部材
８ａ  開口部
９  蓋部材（第１蓋部材）
９ａ  基板保持溝（第１基板保持溝）
９ｂ  挿通孔
１０  蓋部材（第２蓋部材）
１０ａ  基板保持溝（第２基板保持溝）
１０ｂ  挿通孔
１１  発光制御回路
１２  基板（第２の基板）
１４、１５  ケーブル
Ｘ  基板の幅方向
Ｙ  カバー部材の軸方向
Ｚ  基板の厚み方向
【図１】
2015115154.tif 000003
【図２】
2015115154.tif 000004
【図３】
2015115154.tif 000005
【図４】
2015115154.tif 000006
【図５】
2015115154.tif 000007
【図６】
2015115154.tif 000008
【図７】
2015115154.tif 000009
【図８】
2015115154.tif 000010
【図９】
2015115154.tif 000011
【図１０】
2015115154.tif 000012
【図１１】
2015115154.tif 000013